(57)【要約】【課題】Ｖ字形取付バネを手で縮めることなく簡単に天井等に取付けることを可能にした埋め込み器具及びそれに用いられる取付補助装置を提供する。【解決手段】外周つば６を備えた器具本体１と、一端側が器具本体１の側面に取り付けられ、他端側が天井材７の開口部７ａ側に接触して器具本体１を天井材７に固着するＶ字形取付バネ４と、器具本体１に移動可能に取り付けられ、器具本体１を天井材７に取り付ける前は、Ｖ字形取付バネ４の他端を器具本体１側に弾性変形させるように仮押さえし、器具本体１を天井材７に取り付けるときにはＶ字形取付バネ４を開放して仮押さえを解除する取付補助装置５とを備える。【選択図】図１
2011150856.tif 000002
【特許請求の範囲】
【請求項１】
下端が開放し、該下端の開口周縁に形成された外周つばを備えた器具本体と、
Ｖ字形に曲折される屈曲部を有し、一端側が前記器具本体の側面に取り付けられ、他端側が被取付材に接触して前記器具本体を前記被取付材に固着するＶ字形取付バネと、
前記器具本体を前記被取付材に取り付ける方向に移動可能に前記器具本体に取り付けられ、前記器具本体を前記被取付材に取り付ける前は、前記取付バネの他端を前記器具本体側に弾性変形させるように仮押さえし、前記器具本体を前記被取付材に取り付けるときには、前記Ｖ字形取付バネを解放して前記仮押さえを解除する取付補助装置と、
を備えたことを特徴とする埋め込み器具。
【請求項２】
前記取付補助装置は、リング状に形成され、前記器具本体の外周側に装着されることを特徴とする請求項１に記載の埋め込み器具。
【請求項３】
前記器具本体は、取り付けられた前記Ｖ字形取付バネにほぼ平行となる２つのスリットを有し、
前記取付補助装置は、Ｕ字状に形成され、両端が前記スリットに移動可能に取り付けられることを特徴とする請求項１に記載の埋め込み器具。
【請求項４】
前記取付補助装置は、金属製又は樹脂製である請求項１〜請求項３のいずれか一項に記載の埋め込み器具。
【請求項５】
下端が開放し、該下端の開口周縁に形成された外周つばを備えた器具本体と、
Ｖ字形に曲折される屈曲部を有し、一端側が前記器具本体の側面に取り付けられ、他端側が被取付材に接触して前記器具本体を前記被取付材に固着するＶ字形取付バネと、を備える埋め込み器具に用いられる取付補助装置であって、
前記器具本体を前記被取付材に取り付ける方向に移動可能に前記器具本体に取り付けられ、前記器具本体を前記被取付材に取り付ける前は、前記取付バネの他端を前記器具本体側に弾性変形させるように仮押さえし、前記器具本体を前記被取付材に取り付けるときには、前記Ｖ字形取付バネを解放して前記仮押さえを解除することを特徴とする取付補助装置。
【発明の詳細な説明】
【技術分野】
【０００１】
本発明は、例えば照度センサ、温度センサ、リモコン受光部、照明器具のように天井や壁に埋め込んで設置される埋め込み器具及びそれに用いられる取付補助装置に関するものである。
【背景技術】
【０００２】
従来、この種の埋め込み器具には、例えば埋め込み型照明器具を天井に固定する際に取付バネを用いた技術がある（例えば、特許文献１参照）。
【先行技術文献】
【特許文献】
【０００３】
【特許文献１】実開平５−４３４１２号公報（図１）
【発明の概要】
【発明が解決しようとする課題】
【０００４】
上記の特許文献１においては、取付バネとしてＶ字形取付バネが用いられている。このＶ字形取付バネを用いて埋め込み型照明器具を天井等へ取り付ける際には、Ｖ字形取付バネが取付け前には天井の埋め込みのための開口部よりも開いている為、天井の開口部より小さくする様に手で縮める必要があった。Ｖ字形取付バネの反発力が強い場合には、手で縮めるのに苦労したり、また、Ｖ字形取付バネが３ヶ所以上設けられている場合には、全てのＶ字形取付バネを同時に縮める必要があるが困難である、という課題があった。
【０００５】
本発明は、Ｖ字形取付バネを手で縮めることなく簡単に天井等に取り付けることを可能にした埋め込み器具及びそれに用いられる取付補助装置を提供することを目的とする。
【課題を解決するための手段】
【０００６】
本発明に係る埋め込み器具は、下端が開放し、該下端の開口周縁に形成された外周つばを備えた器具本体と、Ｖ字形に曲折される屈曲部を有し、一端側が前記器具本体の側面に取り付けられ、他端側が被取付材に接触して前記器具本体を前記被取付材に固着するＶ字形取付バネと、前記器具本体を前記被取付材に取り付ける方向に移動可能に前記器具本体に取り付けられ、前記器具本体を前記被取付材に取り付ける前は、前記Ｖ字形取付バネの他端を前記器具本体側に弾性変形させるように仮押さえし、前記器具本体を前記被取付材に取り付けるときには、前記Ｖ字形取付バネを解放して前記仮押さえを解除する取付補助装置とを備えたものである。
【発明の効果】
【０００７】
本発明に係る埋め込み器具によれば、例えば天井等への取付け時は、Ｖ字形取付バネが取付補助装置により仮押さえされ、天井等に形成された埋め込みのための開口部の周壁よりも内側になり、天井の開口部に簡単に挿入することができる。器具本体が天井の開口部に挿入されると、取付補助装置が天井面に当たって、器具本体の側面に沿って下がりＶ字形取付バネから外れて仮押さえが解除されるため、Ｖ字形取付バネにより埋め込み器具を天井に固定することができる。このため、Ｖ字形取付バネを手で縮めることなく簡単に天井等に取り付けることが可能になっている。
【図面の簡単な説明】
【０００８】
【図１】本発明の実施の形態１に係る埋め込み器具を示す斜視図である。
【図２】図１の埋め込み器具の取付補助装置を示す斜視図である。
【図３】図１の埋め込み器具を天井に挿入する状態を示す斜視図である。
【図４】図３の埋め込み器具の天井挿入時の断面図である。
【図５】上記の実施の形態１の天井固定状態の断面図である。
【図６】本発明の実施の形態２に係る埋め込み器具を示す斜視図である。
【図７】図６の埋め込み器具を天井に挿入する状態を示す断面図である。
【図８】上記の実施の形態２の天井固定状態の断面図である。
【発明を実施するための形態】
【０００９】
実施の形態１．
図１は、本発明の実施の形態１に係る埋め込み器具の斜視図、図２は、図１の埋め込み器具の取付補助装置を示す斜視図、図３は、図１の埋め込み器具を天井に挿入する状態を示す斜視図、図４は、図３の埋め込み器具の天井挿入時の断面図であり、図５は、天井固定状態の断面図である。
【００１０】
図１に示されるように、埋め込み器具１００は、器具本体１、ランプ２が着脱可能に取り付けられるランプソケット３（図４参照）、Ｖ字形取付バネ４及び取付補助装置５を備えている。
【００１１】
器具本体１は、上部が閉塞し、下部が開放された円筒状の部材から構成されており、その下部には外周から外側に突出した外周つば６を備えている。
ランプソケット３は、器具本体１の閉塞した上部の内側に取り付けられており、ランプ２が着脱可能に取り付けられる（図４参照）。
Ｖ字形取付バネ４は、屈曲部でほぼＶ字形に折り曲げられて形成され、一端が器具本体１の側面に取り付けられる。Ｖ字形取付バネ４は、図示の例においては器具本体１の側面に２個所に設けられた例が示されているが、３個所以上設けてもよい。
取付補助装置５は、図２に示されるように、リング形状をなしており、器具本体１の外周に装着される。この取付補助装置５は、金属製又は樹脂製の部材から構成されており、その外周径が、外周つば６の外周径より小さく、かつ、天井材７の取り付けのために形成された開口部７ａの穴径よりも大きく、また、その内周径が、器具本体１の外周径よりも大きく、かつ、天井材７の開口部７ａの穴径よりも小さい寸法になっている。
【００１２】
次に、埋め込み器具１００を天井に取り付ける工程について説明する。
【００１３】
（ａ）図３に示されるように、まず、埋め込み器具１００を天井材７の開口部７ａに挿入する前に、取付補助装置５をＶ字形取付バネ４の最上部へ移動させる。このとき、Ｖ字形取付バネ４の弾性が取付補助装置５の内周壁で保持される。Ｖ字形取付バネ４が、取付補助装置５に保持された状態では、Ｖ字形取付バネ４が仮押えされ、その他方の端部が天井材７（被取付材）の開口部７ａの周壁よりも内側になる為、Ｖ字形取付バネ４を手で保持しなくても器具本体１を天井材７の開口部７ａに簡単に挿入することができる。
【００１４】
（ｂ）次に、図４に示されるように、器具本体１を天井材７の開口部７ａに挿入すると、取付補助装置５が、天井材７の下面に当たり、器具本体１の側面に沿って下がり、Ｖ字形取付バネ４から外れる。
【００１５】
（ｃ）取付補助装置５がＶ字形取付バネ４から外れることによって、Ｖ字形取付バネ４の仮押えが解除され、Ｖ字形取付バネ４の他方の端部が弾性で天井材７の開口部７ａの周壁を押し、図５に示されるように、埋め込み器具１００が天井材７に固定される。
【００１６】
以上のように本実施の形態１においては、リング状の取付補助装置５がＶ字形取付バネ４の外側に配置されている為、天井材７への取付け時は、Ｖ字形取付バネ４が取付補助装置５により仮押えされて弾性変形し、その他方の端部が開口部７ａの周壁よりも内側になり、器具本体１を天井材７の開口部７ａに簡単に挿入することができる。器具本体１が天井材７の開口部７ａに挿入されると、取付補助装置５が天井材７の下面に当たって、器具本体１の側面に沿って下がり仮押えが解除される。そして、Ｖ字形取付バネ４の他方の端部が弾性で天井材７の開口部７ａの周壁を押すことにより（弾圧することにより）、埋め込み器具１００は天井材７に固定される。このため、Ｖ字形取付バネ４を手で縮めることなく簡単に天井等に取り付けることが可能になっている。
【００１７】
実施の形態２．
図６は、本発明の実施の形態２に係る埋め込み器具の斜視図であり、図７は、天井に取り付ける前の状態を示す埋め込み器具の断面図、図８は、天井に取り付けた状態を示す埋め込み器具の断面図である。
【００１８】
図６に示されるように、埋め込み器具１００ａは、器具本体１ａ、ランプ２が着脱可能に取り付けられるランプソケット３（図７参照）、Ｖ字形取付バネ４及び取付補助装置５ａを備えている。
器具本体１ａは、上記の実施の形態１の器具本体１とその基本構成は同じであるが、Ｖ字形取付バネ４が取り付けられる部位の左右近傍にほぼ平行に２つのスリット８が形成されている。このスリット８は、Ｖ字形取付バネ４の左右近傍にそれぞれ設けられるので、器具本体１ａに、Ｖ字形取付バネ４が２個取り付けられる場合には、スリット８が４つ設けられ、Ｖ字形取付バネ４が３個取り付けられる場合には、スリット８が６つ設けられる。
ランプソケット３及びＶ字形取付バネ４は、上記の実施の形態１のランプソケット３及びＶ字形取付バネ４と同じ構成である。
【００１９】
取付補助装置５ａは、金属製又は樹脂製のＵ字状の部材からなり、その両端部には例えば内側に曲がった係合片が形成され、器具本体１ａのスリット８に移動可能に取り付けられる。この取付補助装置５ａは、スリット８内を移動して、Ｖ字形取付バネ４を器具本体１ａ側に弾性変形させて、器具本体１ａを天井材７の開口部７ａに挿入する際に、Ｖ字形取付バネ４が天井材７に引っかからないように仮押さえをする。
【００２０】
次に、埋め込み器具１００ａを天井に取り付ける過程について説明する。
【００２１】
（ａ）埋め込み器具１００ａを天井材７の開口部７ａに挿入する前に、取付補助装置５ａをＶ字形取付バネ４の最上部へ移動させる事によって、Ｖ字形取付バネ４の弾性が取付補助装置５ａのＵ字部で保持される。Ｖ字形取付バネ４が取付補助装置５ａに保持された状態ではＶ字形取付バネ４が仮押えされ、その他方の端部が天井材７の開口部７ａの周壁よりも内側になる為、Ｖ字形取付バネ４を手で保持しなくても器具本体１ａを天井材７の開口部７ａに簡単に挿入することができる。
【００２２】
（ｂ）図７に示されるように、器具本体１ａを天井材７の開口部７ａに挿入すると、取付補助装置５ａが天井材７の下面に当たり、器具本体１ａの側面に沿って下がり、Ｖ字形取付バネ４から外れる。
【００２３】
（ｃ）図８に示されるように、取付補助装置５ａがＶ字形取付バネ４から外れることによって、Ｖ字形取付バネ４の仮押えが解除され、Ｖ字形取付バネ４の他方の端部が弾性で天井材７の開口部７ａの周壁を押し、埋め込み器具１００ａが天井材７に固定される。
【００２４】
以上のように本実施の形態２においては、Ｕ字状の取付補助装置５ａがＶ字形取付バネ４の外側に配置されている為、天井材７への取付け時はＶ字形取付バネ４が取付補助装置５ａにより仮押えされて弾性変形し、その他方の端部が天井材７の開口部７ａの周壁よりも内側になり、器具本体１ａを天井材７の開口部７ａに簡単に挿入することができる。器具本体１ａが天井材７の開口部７ａに挿入されると、取付補助装置５ａが天井材７の下面に当たり、器具本体１ａの側面に沿って下がり仮押えが解除される。そして、Ｖ字形取付バネ４の他方の端部が弾性で天井材７の開口部７ａの周壁を押すことにより（弾圧することにより）、埋め込み器具１００ａは天井材７に固定される。このため、Ｖ字形取付バネ４を手で縮めることなく簡単に天井等に取り付けることが可能になっている。
【００２５】
なお、上記の実施の形態１及び２においては、埋め込み器具の例として照明器具の例について説明したが、本発明はそれに限定されるものではなく、天井や壁面に埋め込まれる機器であればよく、照度センサ、温度センサ、リモコン受光部等にも本発明は適用される。
【符号の説明】
【００２６】
１、１ａ  器具本体、２  ランプ、３  ランプソケット、４  Ｖ字形取付バネ、５、５ａ  取付補助装置、６  外周つば、７  天井材、７ａ  開口部、８  スリット、１００、１００ａ  埋め込み器具。
【図１】
2011150856.tif 000003
【図２】
2011150856.tif 000004
【図３】
2011150856.tif 000005
【図４】
2011150856.tif 000006
【図５】
2011150856.tif 000007
【図６】
2011150856.tif 000008
【図７】
2011150856.tif 000009
【図８】
2011150856.tif 000010